(57)【要約】  本発明は、ステータおよびロータと、ロータに固定されたある配列の磁石と、ステータに固定された対応する配列のコイルとを有する水力発電タービンを提供する。そのタービンはさらに、タービンの動作中にコイルを冷却する手段を含み、その冷却手段は、好ましくは、コイルを冷却するために流体がチャネルを貫通できるように、ステータを貫通してコイルに近接する１つまたは複数のチャネルの形態をとる。【選択図】図３
2013506393.tif 000002
【特許請求の範囲】
【請求項１】
ステータおよびロータと、前記ステータまたは前記ロータの一方に固定されたある配列の磁石と、前記ステータまたは前記ロータのもう一方に固定された対応する配列のコイルと、タービンの動作中に前記コイルを冷却する手段とを備える、水力発電タービン。
【請求項２】
前記冷却手段が、前記コイルを冷却するために周りの水を利用するように適合されている、請求項１に記載の水力発電タービン。
【請求項３】
前記冷却手段が、前記コイルから熱を伝達するために、前記コイルを通り越してまたはそれに近接する水流を促進するように適合されている、請求項１または２に記載の水力発電タービン。
【請求項４】
前記ステータおよび前記ロータが、それらの間に隙間を画定するように互いに関して配置され、その隙間の両側に対向するように前記コイルおよび前記磁石が配置され、前記冷却手段が、前記隙間を通る水流を促進するように適合されたガイドを１つまたは複数備える、請求項１から３のいずれかに記載の水力発電タービン。
【請求項５】
前記１つまたは複数のガイドが前記ロータに固定されている、請求項４に記載の水力発電タービン。
【請求項６】
前記１つまたは複数のガイドが、前記タービンの１つまたは複数のベアリングと一体形成される、請求項５に記載の水力発電タービン。
【請求項７】
前記ベアリングが、軸方向荷重を支承する円形配列のベアリング・ブロックを備え、１つまたは複数の前記ベアリング・ブロックの前縁または前面が、前記ロータと前記ステータとの間の相対的な回転の間に前記隙間を通る水流を促進するように特殊輪郭形状になっている、請求項６に記載の水力発電タービン。
【請求項８】
前記コイルが、前記ステータに取り付けられ、前記冷却手段が、前記ステータ内で前記コイルに近接して通り越すように形成された１つまたは複数のチャネルを備え、前記１つまたは複数のチャネルが、水が貫通できるように両端で周りの水に開口している、前記請求項のいずれかに記載の水力発電タービン。
【請求項９】
前記水力発電タービンが潮流中に配置され、前記１つまたは複数のチャネルが、実質的に潮流の方向に沿って延びるように方向付けされる、請求項８に記載の水力発電タービン。
【請求項１０】
前記１つまたは複数のチャネルの両端が、前記ステータの同じ側または同じ面に配置される、請求項８に記載の水力発電タービン。
【請求項１１】
前記磁石配列の隣接する磁石間に隙間が設けられる、前記請求項のいずれかに記載の水力発電タービン。
【発明の詳細な説明】
【技術分野】
【０００１】
本発明は、水力発電タービン、詳細には、潮汐エネルギーを利用して電気を発生させるために潮汐のある場所に配設する、性能および／または信頼性を向上させるように改変された水力発電タービンに関する。
【背景技術】
【０００２】
再生可能エネルギーの領域では、近年、地球温暖化および関連する他の問題による脅威により、大幅な進歩が見られ、大規模な資源および投資が、新規のまたは改良された形態の再生エネルギーを開発するように向けられている。将来性が大きいある特定の領域は、潮汐エネルギーの利用、具体的には海底に配設した水力発電タービンを使用することによる潮汐エネルギーの利用にある。これらのタービンは、環境への影響も他の欠点もなく、安定したエネルギーを運ぶために本質的に１日２４時間運転することができる。
【０００３】
しかし、潮汐エネルギーの利用には、独自の難点、具体的には、潮汐力ジェネレータの、例えば、水力発電タービンの設置およびメンテナンスに関する難点がある。水力発電タービンは、その動作の本来の性質により、潮流が比較的速い位置に、高い確率で海底に配置しなければならない。さらに、経済的に存続可能であるためには、これらのタービンを大規模に構築しなければならない。その結果、タービンおよび関連のベース／支持体は、大型で扱いにくい構成要素になり、配設およびメンテナンスのための回収を実行するには非常に重い持上げ輸送設備が必要になる。こうした重い持上げ設備の使用は、通常、危険を伴う作業であり、この設備が海で困難かつ不安定な状況で動作するときはさらに危険になる。その結果、回収プロセスは、完了するのに時間がかかることがある。さらに、タービンを海底に配置するので、タービンの損傷をチェックするためにタービンの継続的な視覚モニタリングを実装することは、通常不可能であるか、または少なくとも経済的に適していない。したがって、これらの水力発電タービンが比較的単純な機械であり、したがって信頼性が高く、その作動構成要素の作動寿命が非常に長いことが非常に望ましい。
【０００４】
最も損傷を受け易い構成要素の一つは、電磁回路に使用されるコイルであり、コイルは、いくつかの理由で過熱し不具合が生じる恐れがあり、タービンの電磁回路および場合によっては他の領域の両方に損傷を与える可能性がある。それにより、少なくともタービンの出力が低下し、タービンが全体的に停止するかまたは動作不能になることがあり、したがって、タービンの回収および修理が必要になる。
【発明の概要】
【発明が解決しようとする課題】
【０００５】
したがって、本発明の目的は、上記で言及した問題を克服することである。
【課題を解決するための手段】
【０００６】
本発明によれば、ステータおよびロータと、ステータまたはロータの一方に固定されたある配列の磁石と、ステータまたはロータのもう一方に固定された対応する配列のコイルと、タービンの動作中にコイルを冷却する手段とを備える水力発電タービンが提供される。
【０００７】
好ましくは、冷却手段は、コイルを冷却するために周りの水を利用するように適合されている。
【０００８】
好ましくは、冷却手段は、コイルから熱を伝達するために、コイルを通り越すかまたはそれに近接する水流を促進するように適合されている。
【０００９】
好ましくは、ステータおよびロータは、それらの間に隙間を画定するように互いに関して配置され、その隙間の両側に対向するようにコイルおよび磁石が配置され、冷却手段は、隙間を通る水流を促進するようにように適合されたガイドを１つまたは複数備える。
【００１０】
好ましくは、１つまたは複数のガイドはロータに固定されている。
【００１１】
好ましくは、１つまたは複数のガイドは、タービンの１つまたは複数のベアリングと一体形成される。
【００１２】
好ましくは、それらのベアリングは、軸方向荷重を支承する円形配列のベアリング・ブロックを備え、１つまたは複数のベアリング・ブロックの前縁または前面は、ロータとステータとの間の相対的な回転の間に隙間を通る水流を促進するように特殊輪郭形状になっている。
【００１３】
好ましくは、コイルは、ステータに取り付けられ、冷却手段は、ステータ内でコイルに近接して通り越すように形成された１つまたは複数のチャネルを備え、１つまたは複数のチャネルは、水が貫通できるように両端で周りの水に開口している。
【００１４】
好ましくは、水力発電タービンが潮流に配置され、１つまたは複数のチャネルは、実質的に潮流の方向に沿って延びるように方向付けされる。
【００１５】
好ましくは、１つまたは複数のチャネルの両端が、ステータの同じ側または同じ面に配置される。
【００１６】
好ましくは、磁石配列の隣接する磁石間に隙間が設けられる。
【図面の簡単な説明】
【００１７】
【図１】本発明の第１の実施形態による水力発電タービンの概略断面図を示す。
【図２】図１に示すタービンの斜視図を示す。
【図３】本発明によるタービンの代替的実施形態の概略図を示す。
【図４】本発明による水力発電タービンのさらなる代替的実施形態を示す。
【発明を実施するための形態】
【００１８】
次に、添付の図面の図１および図２を参照すると、全体を１０で示す、水力発電タービンの第１の実施形態が示されており、これは、タービン１０の電磁回路の一部を成す電磁石コイル（図示せず）を冷却するように適合されている。
【００１９】
タービン１０の主な構成要素はステータ１２であり、ステータ１２内にはロータ１４が回転するように取り付けられている。当技術分野でよく知られているように、タービン１０は、通常、ステータ１２およびロータ１４のうちのいずれかに、ある配列のコイル（図示せず）が設けられ、ステータ１２およびロータ１４のうちのもう一方に、対応する配列の磁石（図示せず）が設けられるように構成されている。コイルおよび磁石は、ステータ１２とロータ１４との間の隙間１６の両側に対向して配置される。ロータ１４は外側リム１８および内側リム２０を備え、それらの間に、ある配列のブレード２２が取り付けられている。外側リム１８は、事実上ステータ１２に囲繞され、したがって、隙間１６の分だけ離間している。タービン１０の動作中には、ステータ１２とロータ１４との間の相対移動により、磁石およびコイルが互いを通り過ぎてコイルに電流を誘導し、次いでその電流が任意の適切な手法でタービン１０から抽出される。タービン１０のコイルを電流が流れることでコイルに熱が発生し、熱レベルが高いと、コイルの効率が低くなり、コイルまたは周りの構成要素の損傷するリスクが高くなる。
【００２０】
したがって、本発明のタービン１０は、コイルを冷却するために、したがって確実に安定して効率的に動作させるために、上記で言及したコイルを通り越してまたはそれに近接する水流を誘導するように適合されている。外側リム１８に、ある配列のベアリング・ブロック２４が設けられ、それらのベアリング・ブロック２４は互いに協働して、動作中のステータ１２とロータ１４との間の接触を防止するために、それらの間に径方向の主なベアリングを画定する。ベアリング・ブロック２４のうちの少なくとも一部、好ましくは全てが、タービン１０の冷却手段を成し、したがって、ステータ１２に関してロータ１４が回転する間は、コイルを冷却するために水が隙間１６を通るように適合されている。ベアリング・ブロック２４は、傾斜したまたは特殊輪郭形状の前縁２６を備え、その前縁２６は、周りの水を上に押しやってベアリング・ブロック２４上を通って隙間１６を通るように促すように働く。タービン１０の外側リム１８または任意の他の部分に追加のベーン（図示せず）または面の構成を、ベアリング・ブロック２４のこうした機能を改善または強化するために設けることができる。さらに、磁石配列の隣接する磁石は、互いにわずかに離間しており、隣接する磁石間のこの隙間が、隙間１６を通る水流の促進を助ける。
【００２１】
次に図３に移ると、全体を１１０で示す、本発明による水力発電タービンの代替的実施形態が示されている。この代替的実施形態では、同様の構成要素は、同様の参照番号が付されており、別段の指定がない限り同様の機能を実行する。タービン１１０はこの場合もステータ１１２およびロータ１１４を備え、そのロータ１１４は、ステータ１１２に関して回転するように取り付けられている。ステータ１１２およびロータ１１４は隙間１１６の分だけ離れており、その隙間は周囲の水に開口している。ロータ１１４は外側リム１１８および内側リム１２０を備え、それらの間には、円形配列のブレード１２２が取り付けられている。ある配列のコイル３０が、ステータ１１２に取り付けられ、隙間１１６を介して外側リム１１８に面している。したがって、対応する配列の磁石（図示せず）が、外側リム１１８に取り付けられる。
【００２２】
タービン１１０はさらに、ステータ１１２に形成されたチャネル３２の形態の冷却手段を備え、そのチャネル３２は、水が内部を貫通できるようにステータ１１２の一方の側からもう一方の側に延びる。チャネル３２は、コイル３０から熱を引き抜くために水がチャネル３２を貫通できるように、コイルの後面に近接するように配置される。したがって、この実施形態は、水がチャネル３２を通して押しやられず、単純に潮流の影響でチャネル３２を通るときに、コイル３０のパッシブ冷却を行う。しかし、チャネル３２を通して水を能動的に押しやるかまたはポンプ輸送する手段を設けることもできることが理解されよう。こうしたポンプ輸送手段に、タービン１１０によって生成された動力から、機械式にまたは電気的に動力を供給することもできる。
【００２３】
次に図４に移ると、全体を２１０で示す水力発電タービンのさらなる代替的実施形態が示されている。やはりこの実施形態でも、同様の構成要素は、同様の参照番号が付されており、別段の指定がない限り同様の機能を実行する。タービン２１０はステータ２１２およびロータ２１４を備え、それらは互いに隙間２１６の分だけ離れている。ロータ２１４は外側リム２１８および内側リム２２０を備え、それらの間に、円形配列のブレード２２２が取り付けられている。
【００２４】
ステータ２１２内には１対のチャネル２３２が形成されており、そのチャネル２３２は実質的にＵ字形であり、各チャネル２３２の両端が、ステータ２１２の同じ面に開口している。チャネル２３２は、コイル（図示せず）の後ろに近接した位置まで延びて、タービン２１０の動作中のコイルからの熱伝達を最大にする。チャネル２３２は、チャネル２３２の有効長さを増大し、したがってその熱伝達能力を改善するために、部分的にまたは完全に形状が螺旋形でよい。
【００２５】
したがって、本発明のタービン１０、１１０、２１０が、単純であるが効果的な、動作中にコイルから熱を引き抜く手段を提供することが理解されよう。冷却手段は、概して、追加の可動部品を必要とせず、したがって、タービン１０、１１０、２１０の単純さ、よってその信頼性が維持される。
【図１】
2013506393.tif 000003
【図２】
2013506393.tif 000004
【図３】
2013506393.tif 000005
【図４】
2013506393.tif 000006
【国際調査報告】
2013506393.tif 000007
2013506393.tif 000008
2013506393.tif 000009